(57)【要約】      （修正有）【課題】歩行、走行を伴なうことなく、寝台や椅子に座した状態で、下肢、それも膝下を上下動させる運動の負荷用の筋力増強用器具として、足裏に密接し、運動によって位置ずれが生ずることがなく、健康を図ることのできる下肢の筋力増強用器具を提供する。【解決手段】サンダル状をした本体の底部に中空部２を形成し、その中空部２内に袋詰めとした重量粉粒体３を収納してあり、前記中空部の側面に足甲部及び足首部への止着手段７ａ，７ｂ，８ａ，８ｂを備え、前記した袋詰めした重量粉粒体３の重量は調整可能なものとする。【選択図】図１
0003188599.tif 000002
【実用新案登録請求の範囲】
【請求項１】
サンダル状をした本体の底部に中空部を形成し、その中空部内に袋詰めとした重量粉粒体を収納してあり、前記中空部の側面に足甲部及び足首部への止着手段を備えていることを特徴とする下肢の筋力増強用器具。
【請求項２】
前記した袋詰めした重量粉粒体の重量は調整可能なものとしてあることを特徴とする請求項１に記載の下肢の筋力増強用器具。
【請求項３】
前記した中空部の一部には内部への連通口の開閉手段を備えていることを特徴とする請求項１または２に記載の下肢の筋力増強用器具。
【請求項４】
前記した袋詰めとした重量粉粒体は複数個の分割されていることを特徴とする請求項１から３のうち１項に記載の下肢の筋力増強用器具。
【請求項５】
前記した複数個の袋詰めとした重量粉粒体の下方に、安定のための補助板を入れてあることを特徴とする請求項４に記載の下肢の筋力増強用器具。
【考案の詳細な説明】
【技術分野】
【０００１】
本考案は下肢の筋力増強用器具に関し、主として、怪我や病気によって萎え衰えてしまった下肢を、リハビリをして回復させ、筋力増強させ、健康を図るための筋力増強用器具に関する。
【背景技術】
【０００２】
従来、下肢の筋力増強用器具としてはアスリート用として、鉄下駄や、砂を充填したウェイトベルト等の存在が知られている。しかしながら、これらの物はリハビリ用としてはあまりにも負荷が大きすぎ、また、それを装着しての歩行もしくは走行を前提としているのであり、目的にそぐわない。
【０００３】
また、従来のウェイトベルトは、装着して寝た状態あるいは椅子に座った状態で膝下を上下動させる運動をすると、装着がずれてしまうことが多く、装着しなおす煩わしさが伴うものとなっていた。
【先行技術文献】
【特許文献】
【０００４】
出願人は本願考案に関し、先行する技術文献を調査したが、格別に本願考案と関連し、類似すると思われる文献は発見できなかった。
【考案の概要】
【考案が解決しようとする課題】
【０００５】
従来、歩行、走行を伴なうことなく、寝台や椅子に座した状態で、下肢、それも膝下を上下動させる運動の負荷用の筋力増強用器具として、足裏に密接し、運動によって位置ずれが生じてしまうことがなく、健康を図ることのできる下肢の筋力増強用器具は存在していなかったという点である。
【課題を解決するための手段】
【０００６】
上記した課題を解決するために、本考案に係る下肢の筋力増強用器具は、サンダル状をした本体の底部に中空部を形成し、その中空部内に袋詰めとした重量粉粒体を収納してあり、前記中空部の側面に足甲部及び足首部への止着手段を備えていることを特徴としている。
【０００７】
また、本考案に係る下肢の筋力増強用器具は、前記した袋詰めした重量粉粒体の重量は調整可能なものとしてあることを特徴とし、前記した中空部の一部には内部への連通口の開閉手段を備えていることを特徴としている。
【０００８】
さらに、本考案に係る下肢の筋力増強用器具は、前記した袋詰めとした重量粉粒体は複数個の分割されていることを特徴とし、前記した複数個の袋詰めとした重量粉粒体の下方に、安定のための補助板を入れてあることを特徴としている。
【考案の効果】
【０００９】
本考案に係る下肢の筋力増強用器具は上記のように構成されている。そのために、この下肢の筋力増強用器具は足裏及び足首の先に密に当接され、位置ずれを生じてしまう煩わしさが一切なくなり、フィット感も良好なものとなる。また、重量粉粒体の重量も好みや必要に応じて自在に調整することもでき、個々のケースに対応することができるものとなっている。
【図面の簡単な説明】
【００１０】
【図１】本考案に係る下肢の筋力増強用器具の第一実施例を示す使用状態の側面図である。
【図２】平面図である。
【図３】第二実施例の側面図である。
【考案を実施するための形態】
【００１１】
図面として示し、実施例で説明したように構成したことで実現した。
【実施例１】
【００１２】
次に、本考案の好ましい第一実施例を図１及び図２を参照して説明する。図中１はサンダル状に形成されている下肢の筋力増強用器具本体である。この下肢の筋力増強用器具本体１は中空部２が形成されており、この中空部２内には重量粉粒体３が充填された袋体４が気密状態で収納されている。尚、ここで重量粉粒体３として具体的には鉄粉あるいは砂を想定している。
【００１３】
また、前記した下肢の筋力増強用器具本体１の前方側上面にはアーチ状に足先収納部５が形成固定されている。さらに、後方側上面には踵固定バンド６が斜状のアーチ状に形成固定されている。
【００１４】
この踵固定バンド６の両基端近傍からは左右の足首固定バンド７ａ、７ｂが延設され、足首上面でその先端が固定されることで、足首を位置固定する構成となっており、本実施例ではこの足首固定バンド７ａ、７ｂとして面状ファスナーが使用されている。
【００１５】
また、下肢の筋力増強用器具本体１の両側面略中央には足の甲部分固定バンド８ａ、８ｂの基端が固定されており、その両先端面が足の甲上面で固定され、足の甲部分を位置固定する構成となっており、本実施例ではこの足の甲部分固定バンド８ａ、８ｂにも面状ファスナーが使用されている。
【００１６】
実施例１は上記の構成とされており、中空部２に収納された袋体４に充填されている重量粉粒体３はその足裏と、中空部２の上面を介して当接する面が、足裏の形状と合わせて微妙に変形するので、その足裏面に良好にフィットすることとなる。
【実施例２】
【００１７】
続いて、図３を参照して第二の実施例を説明する。尚、第一の実施例と共通する部分は同一の符号を付して詳細な説明は省略する。この第二の実施例における下肢の筋力増強用器具本体１０は後端縁上面に踵固定部１１をポケット状に形成して、足先収納部５に足先を入れ、踵をスリップオンして装着するものとなっている。面状ファスナーを用いた足首固定バンド７ａ、７ｂはこの踵固定部１１の外表面に基端を固定して設けられている。
【００１８】
この第二の実施例における中空部２の少なくとも一方の外側面には長手方向に沿って開閉するジッパー１２が取り付けられ、中空部２と外部とを連通可能としてある。そして、この中空部２内には、複数、この図で示す第二の実施例にあっては三つの重量粉粒体３、３、３を充填した袋体４ａ、４ｂ、４ｃが隣接されて収納されている。
【００１９】
この各袋体４ａ、４ｂ、４ｃに詰められる重量粉粒体３、３、３の重量は各袋体４ａ、４ｂ、４ｃごとに変更することができ、例えば０．３ｋｇ、０．５ｋｇ、０．７ｋｇ等として、バランスを取り需要者ごとの必要に応じて調整し、その重量による配置交換も可能としている。
【００２０】
尚、格別に図示してはいないが、この複数の袋体４ａ、４ｂ、４ｃの収納による変位、歪みを矯正するため、袋体４ａ、４ｂ、４ｃの下方に厚紙やプラスチックプレート等の安定板を補足的に介入させておくこともできる。
【産業上の利用可能性】
【００２１】
本実施例に係る下肢の筋力増強用器具は上記のように構成されている。本実施例では固定用のバンドとして各々面状ファスナーを使用しているが、これはバックルやホック、ボタン等を使用しての止着とすることもできる。また、第二の実施例におけるジッパーもこれにこだわらず、ホックやボタン等による開閉とすることができることは勿論である。
【符号の説明】
【００２２】
１，１０    下肢の筋力増強用器具本体
２    中空部
３    重量粉粒体
４，４ａ，４ｂ，４ｃ    袋体
５    足先収納部
６    踵固定バンド
７ａ，７ｂ    足首固定バンド
８ａ，８ｂ    足の甲部分固定バンド
１１    踵固定部
１２    ジッパー
【図１】
0003188599.tif 000003
【図２】
0003188599.tif 000004
【図３】
0003188599.tif 000005